(57)【要約】【課題】情報端末から送信されたデータに応じてあるいはサーバ装置内部の処理に応じてサーバ装置で生成されて情報端末に送信され、該情報端末の操作画面に表示される表示内容を、ユーザが好むタイミング通りに情報端末で記録できるようにすること。【解決手段】情報端末としてのＤＳＣ１０、上記ＤＳＣ１０とデータ通信可能に接続されたサーバ装置としてのサーバ３０と、を含む情報処理システムにおいて、ＤＳＣ１０のＣＰＵ１０１は、該ＤＳＣ１０にかかわる操作入力を行うための入力インターフェース部１０２の第１の操作入力に応じて、表示部１０５に表示されている表示内容をファイル管理部１０７により記録部１０８に記憶させる。【選択図】図１
2008288721.tif 000002
【特許請求の範囲】
【請求項１】
情報端末と、上記情報端末とデータ通信可能に接続されたサーバ装置と、を含む情報処理システムにおいて、
上記サーバ装置は、上記情報端末から送信されたデータに応じて、あるいは該サーバ装置内部の処理に応じて、上記情報端末の操作画面に表示される画面の画面データを生成し上記情報端末に送信する画面データ生成部を具備し、
上記情報端末は、
該情報端末にかかわる操作入力を行うための操作入力部と、
上記サーバ装置から送信される上記画面データに基づいて、該情報端末の操作画面の表示内容を更新する操作画面制御部と、
第１の操作入力に応じて、上記操作画面に表示されている表示内容を記憶する記憶部と、
を具備することを特徴とする情報処理システム。
【請求項２】
上記操作画面制御部は、第２の操作入力が行われたときには、その時点での上記操作画面の表示内容を保持し、
上記第１の操作入力が行われた場合には、上記記憶部は、上記操作画面制御部に保持された上記操作画面の表示内容を記憶すると共に、上記操作画面制御部は、上記操作画面の表示内容の更新を再開することを特徴とする請求項１に記載の情報処理システム。
【請求項３】
上記操作画面制御部は、上記第２の操作入力が行われてから、（１）上記第２の操作入力が解除されるまで、（２）上記第１の操作入力が行われるまで、及び／または（３）上記保持された操作画面の表示内容の記憶動作が終了するまで、の間、上記操作画面制御部に保持された上記操作画面の表示内容を上記操作画面に表示することを特徴とする請求項２に記載の情報処理システム。
【請求項４】
さらに、
上記情報端末に設けられ、上記第２の操作入力が行われたときに、上記サーバ装置に対して、上記画面データの送信停止要求を行う画面データ送信停止要求部を具備し、
上記画面データ生成部は、上記画面データの送信停止要求が行われたときには、上記情報端末へ上記画面データを送信することを停止することを特徴とする請求項２に記載の情報処理システム。
【請求項５】
さらに、
上記情報端末側に設けられ、上記第１の操作入力が行われたとき、及び／または上記第２の操作入力が解除されたときに、上記サーバ装置に対して、上記画面データの送信再開要求を行う画面データ送信再開要求部を具備し、
上記画面データ生成部は、上記画面データの送信再開要求が行われたときには、上記情報端末への上記画面データの送信を再開させることを特徴とする請求項４に記載の情報処理システム。
【請求項６】
上記操作入力部は、２段式の押しボタンスイッチを含み、上記押しボタンスイッチは第１段目の押しボタン操作により上記第２の操作入力が行われ、第２段目の押しボタン操作により上記第１の操作入力が行われるように構成されていることを特徴とする請求項２に記載の情報処理システム。
【請求項７】
上記画面データは、上記情報端末の操作画面に表示されるべき画面のイメージを変換したコンテンツ、または上記コンテンツを上記情報端末の上記操作画面上に表示させるための描画命令を含むことを特徴とする請求項１に記載の情報処理システム。
【請求項８】
情報端末と、上記情報端末とデータ通信可能に接続されたサーバ装置と、を含む情報処理システムにおいて、
上記サーバ装置は、上記情報端末から送信されたデータに応じて、あるいは該サーバ装置内部の処理に応じて、上記情報端末の操作画面に表示される画面の画面データを生成し上記情報端末に送信する画面データ生成部を具備し、
上記情報端末は、
該情報端末にかかわる操作入力を行うための操作入力部と、
上記サーバ装置から送信される上記画面データに基づいて、該情報端末の操作画面の表示内容を更新する操作画面制御部と、
第３の操作入力に応じて、上記操作画面に表示されている表示内容の記憶を開始し、第４の操作入力に応じて、上記操作画面に表示されている表示内容の記憶を終了する記憶部と、
を具備することを特徴とする情報処理システム。
【請求項９】
外部のサーバ装置とデータ通信可能な情報端末において、
上記サーバ装置から送信される画面データに基づいて、操作画面の表示内容を更新する操作画面制御部と、
操作入力を行うための操作入力部と、
第１の操作入力に応じて、上記操作画面に表示されている表示内容を記憶する記憶部と、
を具備することを特徴とする情報端末。
【請求項１０】
上記操作画面制御部は、第２の操作入力が行われたときには、その時点での上記操作画面の表示内容を保持し、
上記第１の操作入力が行われた場合には、上記記憶部は、上記操作画面制御部に保持された上記操作画面の表示内容を記憶すると共に、上記操作画面制御部は、上記操作画面の表示内容の更新を再開することを特徴とする請求項９に記載の情報端末。
【請求項１１】
さらに、上記第２の操作入力が行われたときに、上記サーバ装置に対して、上記画面データの送信停止要求を行う画面データ送信停止要求部を具備することを特徴とする請求項１０に記載の情報端末。
【請求項１２】
さらに、上記第１の操作入力が行われたとき、及び／または上記第２の操作入力が解除されたときには、上記サーバ装置に対して、上記画面データの送信再開要求を行う画面データ送信再開要求部を具備することを特徴とする請求項１１に記載の情報端末。
【請求項１３】
外部情報端末とデータ通信可能に接続されたサーバ装置において、
上記外部情報端末から送信されたデータに応じて、あるいは該サーバ装置内部の処理に応じて、上記外部情報端末の操作画面に表示される画面の画面データを生成し上記外部情報端末に送信する画面データ生成部と、
上記外部情報端末から上記画面データの送信停止要求があった場合には、上記外部情報端末への上記画面データの送信を停止し、且つ、上記外部情報端末装置から上記画面データの送信再開要求があった場合には、上記外部情報端末への上記画面データの送信を再開する画面データ送信制御部と、
を具備することを特徴とするサーバ装置。
【発明の詳細な説明】
【技術分野】
【０００１】
本発明は、情報端末から送信されたデータに応じてあるいはサーバ装置内部の処理に応じて、情報端末の操作画面に表示される表示内容を、該情報端末において記録する情報処理システム、及びそれに用いる情報端末及びサーバ装置に関する。
【背景技術】
【０００２】
従来、サーバ装置で動作するアプリケーションプログラムを、情報端末であるクライアント端末側の入力インターフェースを利用して制御し、サーバ装置のアプリケーションプログラムの動作結果あるいはサーバ装置の表示画面を情報端末側の表示装置に表示するような遠隔制御システムが利用されている。以前は、このような遠隔制御を行う情報処理システムは、ワークステーション、スーパーコンピュータなどを用いて研究開発用途の環境で構築されていた。しかしながら、最近のＣＰＵの処理能力やネットワーク環境の向上、さらにＯＳの進化とそれに伴うＲＤＰ（Remote Desktop Protocol）などの遠隔制御プロトコルの整備に至り、情報端末として、ＰＣはもとより、携帯電話やＰＤＡ、デジタルスチルカメラのような携帯端末を使用したコンシューマ環境でも、そのような遠隔制御を行う情報処理システムを利用できるようになってきている。
【０００３】
このような情報処理システムにおいて、特許文献１には、他の表示装置での表示画像を、携帯端末からの指示で該他の表示装置から携帯端末に送信して、携帯端末に記録する技術が開示されている。
【特許文献１】特開２００２−１６５１７７号公報
【発明の開示】
【発明が解決しようとする課題】
【０００４】
情報端末である携帯端末から遠隔制御を行うと共にサーバ装置の表示画面を随時携帯端末で閲覧する場合には、上述したような遠隔制御プロトコルでは、遠隔制御指示を行っていない間もサーバ装置内部の処理結果からサーバ装置内部に記憶される表示画面が随時更新される。その結果、定期的に、あるいは不定期に表示画面が次々と携帯端末へ送信されてしまい、携帯端末に表示される操作画面の内容も更新されてしまう。そのため、携帯端末に表示される操作画面の更新をユーザが好むタイミングで休止することが困難であった。
【０００５】
また、上記特許文献１のような、他の表示装置の表示画面を携帯端末からの指示でその携帯端末に記録するというユーザニーズはあるものの、以下の２つの問題があった。
【０００６】
（１）ユーザが携帯端末とは別の上記他の表示装置の表示画面を直接視認できない環境下では、表示画面を記録するタイミングを指定することができない。
【０００７】
（２）仮にユーザが上記別の表示装置の表示画面を直接視認できる環境下にあっても、ネットワークの性質上、ユーザが携帯端末で入力し送信された表示画面の記録指示に対して、上記他の表示装置が該記録指示を受信し、記録処理を完了するまでにはタイムラグが発生する。そのタイムラグもネットワークの状況により変動するため、表示装置側でタイムラグを見込んだ記録を行おうとしても、結局ユーザが記録したいと思った表示画面とは時間的にずれのある表示画面しか記録することができない。
【０００８】
本発明は、上記の点に鑑みてなされたもので、情報端末から送信されたデータに応じてあるいはサーバ装置内部の処理に応じてサーバ装置で生成されて情報端末に送信され、該情報端末の操作画面に表示される表示内容を、ユーザが好むタイミング通りに情報端末で記録することのできる情報処理システム、情報端末及びサーバ装置を提供することを目的とする。
【課題を解決するための手段】
【０００９】
本発明の情報処理システムの一態様は、情報端末と、上記情報端末とデータ通信可能に接続されたサーバ装置と、を含む情報処理システムにおいて、
上記サーバ装置は、上記情報端末から送信されたデータに応じて、あるいは該サーバ装置内部の処理に応じて、上記情報端末の操作画面に表示される画面の画面データを生成し上記情報端末に送信する画面データ生成部を具備し、
上記情報端末は、
該情報端末にかかわる操作入力を行うための操作入力部と、
上記サーバ装置から送信される上記画面データに基づいて、該情報端末の操作画面の表示内容を更新する操作画面制御部と、
第１の操作入力に応じて、上記操作画面に表示されている表示内容を記憶する記憶部と、
を具備することを特徴とする。
【００１０】
本発明の情報処理システムの別の態様は、情報端末と、上記情報端末とデータ通信可能に接続されたサーバ装置と、を含む情報処理システムにおいて、
上記サーバ装置は、上記情報端末から送信されたデータに応じて、あるいは該サーバ装置内部の処理に応じて、上記情報端末の操作画面に表示される画面の画面データを生成し上記情報端末に送信する画面データ生成部を具備し、
上記情報端末は、
該情報端末にかかわる操作入力を行うための操作入力部と、
上記サーバ装置から送信される上記画面データに基づいて、該情報端末の操作画面の表示内容を更新する操作画面制御部と、
第３の操作入力に応じて、上記操作画面に表示されている表示内容の記憶を開始し、第４の操作入力に応じて、上記操作画面に表示されている表示内容の記憶を終了する記憶部と、
を具備することを特徴とする。
【００１１】
本発明の情報端末の一態様は、外部のサーバ装置とデータ通信可能な情報端末において、
上記サーバ装置から送信される画面データに基づいて、操作画面の表示内容を更新する操作画面制御部と、
操作入力を行うための操作入力部と、
第１の操作入力に応じて、上記操作画面に表示されている表示内容を記憶する記憶部と、
を具備することを特徴とする。
【００１２】
本発明のサーバ装置の一態様は、外部情報端末とデータ通信可能に接続されたサーバ装置において、
上記外部情報端末から送信されたデータに応じて、あるいは該サーバ装置内部の処理に応じて、上記外部情報端末の操作画面に表示される画面の画面データを生成し上記外部情報端末に送信する画面データ生成部と、
上記外部情報端末から上記画面データの送信停止要求があった場合には、上記外部情報端末への上記画面データの送信を停止し、且つ、上記外部情報端末装置から上記画面データの送信再開要求があった場合には、上記外部情報端末への上記画面データの送信を再開する画面データ送信制御部と、
を具備することを特徴とする。
【発明の効果】
【００１３】
本発明によれば、情報端末から送信されたデータに応じてあるいはサーバ装置内部の処理に応じてサーバ装置で生成されて情報端末に送信され、該情報端末の操作画面に表示される表示内容を、ユーザが好むタイミング通りに情報端末で記録することのできる情報処理システム、情報端末及びサーバ装置を提供することができる。
【発明を実施するための最良の形態】
【００１４】
以下、本発明を実施するための最良の形態を図面を参照して説明する。
【００１５】
なお、以下の説明においては、情報端末の一例として主にデジタルスチルカメラを用いて説明するが、これに限らず、携帯電話、ＰＤＡ、ノートＰＣなどの携帯可能な端末であって良い。また、サーバ装置についても、一例としてサーバを用いて説明するが、これに限らず、ＰＣ、ゲーム機、ＴＶやＤＶＤレコーダを始めとする家電製品などの、サーバ機能を有する機器であれば問題ない。さらに、サーバ機能を有しさえすれば、携帯可能な端末がサーバ装置となっても問題ない。
【００１６】
［第１実施形態］
図１は、本発明の第１実施形態に係る情報処理システムの構成を示す図である。本実施形態においては、情報処理システムは、本発明の第１実施形態に係る情報端末としてのデジタルスチルカメラ（以下、ＤＳＣと略記する）１０と、該ＤＳＣ１０とネットワーク２０を介して接続される本発明の第１実施形態に係るサーバ装置としてのサーバ３０とからなる。
【００１７】
ＤＳＣ１０は、ＣＰＵ１０１、入力インターフェース部１０２、ＲＯＭ１０３、ＲＡＭ１０４、表示部１０５、外部Ｉ／Ｆ１０６、ファイル管理部１０７、記録部１０８、圧縮伸張エンジン１０９、撮像部１１０、及び音出力部１１１を備える。
【００１８】
ＣＰＵ１０１は、ＲＯＭ１０３に格納されている制御プログラムに従いＲＡＭ１０４を用いて各種制御を行う。また、このＣＰＵ１０１は、有線あるいは無線のネットワークプロトコルにより外部Ｉ／Ｆ１０６を介してネットワーク２０に接続し、外部のサーバ３０と通信できるようになっている。外部のサーバ３０との通信時に送受信するデータは、ＲＡＭ１０４に格納される。記録部１０８は、半導体メモリ、磁気メモリ、磁気ディスク、光ディスク、光磁気ディスク等の記録媒体、あるいはそれらに限らず情報を記録することができる記録媒体であり、また上記記録媒体の組み合わせであっても良い。さらには、該記録部１０８は、単数の記録媒体のみから構成される必要は無く、複数の記録媒体から構成されていても構わない。入力インターフェース部１０２は、該ＤＳＣ１０にかかわる操作入力を行うためのスイッチ、ボタン、キー、ダイヤル等の操作入力部である。また、この入力インターフェース部１０２は、表示部１０５に重ねられたタッチパネル等であっても良い。
【００１９】
このような構成のＤＳＣ１０では、撮影時には、入力インターフェース部１０２に従ってＣＰＵ１０１は撮像部１１０から撮像データを取り込み、ＲＡＭ１０４内に格納する。そして、圧縮伸張エンジン１０９に圧縮指示を行って、上記ＲＡＭ１０４内の撮像データを該ＣＰＵ１０１が指定するフォーマットの画像へと圧縮する。圧縮された画像は、ＣＰＵ１０１からの指示によりファイル管理部１０７を通して記録部１０８に記録される。
【００２０】
こうして記録部１０８に記録された画像の再生時には、まずＣＰＵ１０１からの指示により、ファイル管理部１０７を通して記録部１０８内の画像が開かれ、圧縮伸張エンジン１０９により記録されているフォーマットに従い伸張される。伸張された画像データは、表示部１０５に再生される。
【００２１】
一方、サーバ３０は、ＣＰＵ３０１、ＲＯＭ３０２、ＲＡＭ３０３、圧縮伸張エンジン３０４、外部Ｉ／Ｆ３０５、ファイル管理部３０６、記録部３０７を備え、ＲＯＭ３０２及び記録部３０７に格納されている制御プログラムに従いＲＡＭ３０３を用いてＣＰＵ３０１が各種制御を行うようになっている。また、ＣＰＵ３０１は、有線あるいは無線のネットワークプロトコルにより外部Ｉ／Ｆ３０５を介してネットワーク２０に接続し、外部のＤＳＣ１０と通信できるようになっている。外部のサーバ３０との通信時に送受信するデータは、ＲＡＭ３０３に格納される。
【００２２】
次に、上記のような構成における情報処理システムの動作概要を説明する。
【００２３】
図２（Ａ）に示すように、ＤＳＣ１０の入力インターフェース部１０２を用いてユーザにより入力された入力指示は、操作入力情報４１としてネットワーク２０を介してサーバ３０に送信される。サーバ３０では、ＲＡＭ３０３内に、ＤＳＣ１０の表示部１０５に表示される画面のイメージ（画面データ）が記憶されており、サーバ３０内部の処理に応じて、あるいはＤＳＣ１０からネットワーク２０を介して受信する操作入力情報４１に応じて適宜、このＲＡＭ３０３内に記憶されている画面のイメージは更新される。
【００２４】
一方、サーバ３０のＲＡＭ３０３に記憶された画面のイメージは、上記ＤＳＣ１０の表示部１０５に表示される画面の画面データである処理結果情報４２として、ネットワーク２０を介してＤＳＣ１０に送信される。この処理結果情報４２は、画面のイメージを変換した静止画、動画等のコンテンツであっても良いし、ＤＳＣ１０にコンテンツの描画を行わせるための描画命令でもあっても良い。処理結果情報４２は、更に、画面に付随する音の情報を含んでいても良い。この処理結果情報４２のＤＳＣ１０への送信のタイミングは、定期的に送られても良いし、ＤＳＣ１０から受け取った操作入力情報４１に応じてＲＡＭ３０３内に記憶されている画面のイメージを更新した後に送っても良い。ＤＳＣ１０では、ネットワーク２０を介して受信する処理結果情報４２をそのまま、あるいは描画命令を解析し、その命令に従って、表示部１０５にコンテンツを表示する。また、音の情報が含まれていれば、音出力部１１１にて再生出力する。
【００２５】
図２（Ｂ）は、図２（Ａ）のＤＳＣ１０の表示部１０５に表示されているサーバ３０の画面のイメージを元に、ユーザが入力インターフェース部１０２で「決定」を入力したときの動作結果を示している。図２（Ａ）の状態において、サーバ３０は、操作入力情報４１の「決定」を元に、ＲＡＭ３０３内に記憶している画面のイメージから、カーソル１０５Ａの位置で決定されたファイルが選択された新たな画面のイメージヘと更新する（選択されたファイルが強調表示される）。サーバ３０はこの新たな画面のイメージを処理結果情報４２としてＤＳＣ１０に送信する。その結果、図２（Ｂ）に示すように、ＤＳＣ１０は、選択されたファイルが強調表示された新たな画面のイメージを表示部１０５に表示する。
【００２６】
図３Ａ及び図３Ｂは、上記ＤＳＣ１０のＣＰＵ１０１で実行される遠隔制御プログラムの一連の動作フローチャートを示している。
【００２７】
例えば、ユーザが入力インターフェース部１０２から遠隔制御の開始指示を行うと、あるいは、外部Ｉ／Ｆ１０６によりネットワーク２０を介してサーバ３０から遠隔制御開始指示を受信すると、ＣＰＵ１０１は、まず、該ＣＰＵ１０１内又はＲＡＭ１０４に設けた図示しない表示部更新許可フラグをＯＮとする（ステップＳ１０１）。そしてその後、サーバ３０との接続が既になされているか否かを判別する（ステップＳ１０２）。ここで、未だサーバ３０との接続がなされていないと判別したときには（これは例えばユーザが入力インターフェース部１０２から遠隔制御の開始指示を行った場合である）、外部Ｉ／Ｆ１０６によるネットワーク２０を介したサーバ３０との接続を確立する（ステップＳ１０３）。
【００２８】
上記ステップＳ１０２でサーバ３０との接続済みであると判別したならば（これは例えばネットワーク２０を介してサーバ３０から遠隔制御開始指示を受信した場合である）、あるいは上記ステップＳ１０３でサーバ３０との接続を確立した後、ＣＰＵ１０１は、ネットワーク２０を介したサーバ３０からの処理結果情報４２の受信が無いか否かを判別する（ステップＳ１０４）。ここで、サーバ３０から処理結果情報４２の受信が無いと判別した場合には、更に、入力インターフェース部１０２からのユーザによる入力指示の有無を判別する（ステップＳ１０５）。そして、この入力インターフェース部１０２からの入力指示も無いと判別したならば、更に、入力インターフェース部１０２から遠隔制御終了指示、あるいは、ネットワーク２０を介したサーバ３０からの遠隔制御終了指示が無いか否かを判別する（ステップＳ１０６）。ここで、遠隔制御終了指示が有れば該遠隔制御プログラムによる動作を終了するが、遠隔制御終了指示が無ければ上記ステップＳ１０４に戻り、上記処理を繰り返すことになる。
【００２９】
一方、上記ステップＳ１０４において、サーバ３０から処理結果情報４２の受信が有ったと判別した場合には、その受信した処理結果情報４２をＲＡＭ１０４に記憶する（ステップＳ１０７）。そして、上記表示部更新許可フラグがＯＦＦであるか否かを判別する（ステップＳ１０８）。ここで、表示部更新許可フラグがＯＮとなっていると判別したならば、更に、上記ＲＡＭ１０４に記憶した処理結果情報４２は、そのまま表示可能なコンテンツであるか否かを判別する（ステップＳ１０９）。
【００３０】
ここで、サーバ３０から送信されてくる処理結果情報４２としては、変換したコンテンツでも良いし、描画命令であっても良い。変換したコンテンツとは、サーバ３０内のＲＡＭ３０３に記憶されている画面のイメージを、例えばＪＰＥＧのような静止画あるいはＭＰＥＧのような動画に変換したコンテンツのことである。また、描画命令とは、サーバ３０内のＲＡＭ３０３に記憶されている画面のイメージを、ＤＳＣ１０内で形成するための命令である。描画命令の一例としては、特開平１１−３８９５８号公報の図１５に開示されているものなどがある。
【００３１】
そして、上記ＲＡＭ１０４に記憶した処理結果情報４２がコンテンツであると判別したならば、上記ＲＡＭ１０４に記憶したコンテンツを表示部１０５に表示する（ステップＳ１１０）。また、コンテンツが音の情報を含むものであれば、音出力部１１１でそれを音として再生出力する。
【００３２】
これに対して、上記ステップＳ１０９で上記ＲＡＭ１０４に記憶した処理結果情報４２はコンテンツではないと判別した場合には、その処理結果情報４２に含まれる描画命令からコンテンツを作成して、ＲＡＭ１０４に記憶する（ステップＳ１１１）。そして、上記ステップＳ１１０に進み、その作成してＲＡＭ１０４に記憶したコンテンツを表示部１０５に表示する。
【００３３】
例えば、図４に示すように、サーバ３０内部では、動画の再生が行われており、内部処理によって画面が更新されている。そして、所定の間隔（Ｔ）ごとに、処理結果情報４２がＤＳＣ１０へ送信される。ＤＳＣ１０は、その所定の間隔ごとに受信する処理結果情報４２を表示部１０５にコンテンツとして表示する。つまり、ｔ＝０の時点で受信したコンテンツがｔ＝Ｔの時点まで表示され、ｔ＝Ｔの時点で新しいコンテンツが受信されて表示が更新される。このようにして、所定の時間毎に表示が更新されていく。
【００３４】
また、上記ステップＳ１０５において、入力インターフェース部１０２からの入力指示が有ったと判別した場合には、上記表示部更新許可フラグがＯＮであるか否かを判別する（ステップＳ１１２）。ここで、表示部更新許可フラグがＯＮとなっていると判別したならば、更に、上記入力指示が第２の操作入力条件か否かを判別する（ステップＳ１１３）。そして、上記入力指示が第２の操作入力条件でなければ、第１の操作入力条件であるか否かを判別する（ステップＳ１１４）。なお、本実施形態では、第２の操作入力条件はＤＳＣ１０の入力インターフェース部１０２における２段式押しボタンスイッチ１０２Ａ（図４参照）が第１段目の押しボタン操作（以下、「半押し」と称する。）されているときに成立し、第１の操作入力条件は上記２段式押しボタンスイッチ１０２Ａが第２段目の押しボタン操作（以下、「全押し」と称する。）されたときに成立するものとする。上記入力指示が第１の操作入力条件でもないと判別した場合には、その入力指示を、入力インターフェース部１０２における十字キー等のキー部１０２Ｂの操作によってなされた操作入力情報４１として、外部Ｉ／Ｆ１０６によりネットワーク２０を介してサーバ３０に送信して（ステップＳ１１５）、上記ステップＳ１０６に進む。
【００３５】
これに対して、上記ステップＳ１１３において上記入力指示が第２の操作入力条件であると判別した場合には、上記表示部更新許可フラグをＯＦＦとして（ステップＳ１１６）、上記ステップＳ１０６に進む。こうして表示部更新許可フラグをＯＦＦにした後に、上記ステップＳ１０６、ステップＳ１０４、ステップＳ１０７と進んだ場合には、上記ステップＳ１０８において表示部更新許可フラグがＯＦＦであると判別されるので、ステップＳ１０９乃至ステップＳ１１１の処理は行われず、表示は更新されない。
【００３６】
例えば、図４のｔ＝Ｔの時点からｔ＝２Ｔの時点までの間に２段式押しボタンスイッチ１０２Ａが半押しされて上記第２の操作入力条件が成立すると、時刻ｔ＝２Ｔの時点で、そのときサーバ３０において内部処理により更新されている画面が処理結果情報４２として送信され、それをＤＳＣ１０で受信する。しかしこの場合、その受信した処理結果情報４２はＲＡＭ１０４に記憶されるだけで、その処理結果情報４２による表示の更新は行われない。即ち、表示部１０５には、上記ｔ＝Ｔの時点で受信した処理結果情報４２によるコンテンツが表示され続ける。つまり、表示が固定される。このように、ＤＳＣ１０の２段式押しボタンスイッチ１０２Ａを半押しすると、新たな処理結果情報４２を受信しても、表示部１０５の更新は行われない。
【００３７】
そして、ＤＳＣ１０の２段式押しボタンスイッチ１０２Ａが全押しされると、上記ステップＳ１０５からステップＳ１１２に進んだとき、上記ステップＳ１１６でＯＦＦとされているので、表示部更新許可フラグはＯＮではないと判別される。この場合には、ＣＰＵ１０１は、上記入力指示が第１の操作入力条件であるか否かを判別する（ステップＳ１１７）。そして、入力指示が第１の操作入力条件であると判別したならば、表示部１０５に表示中のコンテンツをファイル管理部１０７により静止画として記録部１０８に記録する（ステップＳ１１８）。なおこの場合、圧縮伸張エンジン１０９により、静止画を圧縮してから記録するようにしても良い。そして、上記表示部更新許可フラグをＯＮとして（ステップＳ１１９）、上記ステップＳ１０６に進む。
【００３８】
例えば、図４のｔ＝２Ｔの時点からｔ＝３Ｔの時点までの間に２段式押しボタンスイッチ１０２Ａが全押しされて上記第１の操作入力条件が成立すると、２段式押しボタンスイッチ１０２Ａの半押しで固定された表示コンテンツが静止画として記録される。
【００３９】
こうして記録された後は、上記ステップＳ１１９で表示部更新許可フラグがＯＮとされるので、上記ステップＳ１０６、ステップＳ１０４、ステップＳ１０７、ステップＳ１０８と進んだとき、上記ステップＳ１０８において表示部更新許可フラグがＯＮであると判別されるので、前述したステップＳ１０９乃至ステップＳ１１１の処理が行われて、表示の更新がなされる。
【００４０】
例えば、図４のｔ＝２Ｔの時点からｔ＝３Ｔの時点までの間に２段式押しボタンスイッチ１０２Ａが全押しされて静止画の記録が行われた場合、時刻ｔ＝３Ｔの時点で、そのときサーバ３０において内部処理により更新されている画面が処理結果情報４２として送信され、それをＤＳＣ１０で受信する。そして、ＤＳＣ１０では、その受信した処理結果情報４２をＲＡＭ１０４に記憶し、その処理結果情報４２によるコンテンツの表示の更新が行われる。このように、ＤＳＣ１０は、２段式押しボタンスイッチ１０２Ａが全押しされた後は、受信する処理結果情報４２による表示部１０５の更新を再開する。
【００４１】
なお、上記ステップＳ１１７において入力指示が第１の操作入力条件ではないと判別された場合には、更に、上記入力指示は上記第２の操作入力条件の解除か否かを判別する（ステップＳ１２０）。第２の操作入力条件の解除でなければ上記ステップＳ１０６に進み、解除であれば上記ステップＳ１１９に進む。つまり、上記２段式押しボタンスイッチ１０２Ａが半押しされた状態から、全押しされることなく、その半押し状態が解除された場合には、上記ステップＳ１１７から上記ステップＳ１２０に進み、該ステップＳ１２０で入力指示が第２の操作入力条件の解除と判別されて、上記ステップＳ１１９において表示部更新許可フラグがＯＮとされる。従って、２段式押しボタンスイッチ１０２Ａの半押しが解除された後は、所定の間隔ごとの表示更新が再開されることとなる。一方で、上記２段式押しボタンスイッチ１０２Ａが半押しされた状態から、全押しされることなく、入力インターフェース部１０２における十字キー等のキー部１０２Ｂの操作がなされた場合には、上記操作による操作入力情報の送信は発生しない。
【００４２】
また、上記ステップＳ１１４において入力指示が第１の操作入力条件ではないと判別された場合には、表示部１０５に表示中のコンテンツをファイル管理部１０７により静止画として記録部１０８に記録して（ステップＳ１２１）、上記ステップＳ１０６に進む。つまり、上記２段式押しボタンスイッチ１０２Ａが半押しされることなく直ちに全押しされた場合には、表示の固定を行うこと無く、直ちに静止画の記録が行われる。この場合、上記ステップＳ１１６の表示部更新許可フラグをＯＦＦにする処理を介していないので、上記ステップＳ１１８，Ｓ１１９のように記録後に表示部更新許可フラグをＯＮにする処理は必要としない。
【００４３】
以上のように、本第１実施形態によれば、ＤＳＣ１０上に表示されるサーバ３０の処理結果情報４２をユーザが望むタイミングで固定し、記録することができる。従って、ユーザが処理結果情報４２を確認することが容易となり、再利用することが可能となる。
【００４４】
また、第２の操作入力条件の成立から第１の操作条件の成立まで、あるいは第２の操作条件の解除まで、操作入力情報の送信が発生しない。従って、ＤＳＣ１０とサーバ３０間の送受信する回数が減るため、ネットワーク帯域に余裕が生じ、またＤＳＣ１０の駆動時間の延長が可能となる。
【００４５】
さらに、ＤＳＣ１０においての一般的な撮影手段と共通する部分のある手段により処理結果情報４２の固定及び記録をすることができるため、ユーザにとって直感的に理解され易い、処理結果情報４２の固定及び記録方法を提供することが可能となる。
【００４６】
［第２実施形態］
次に、本発明の第２実施形態を説明する。上記第１実施形態は、処理結果情報４２を受信しても表示の更新を行わないというものであったが、本実施形態は、サーバ３０内部処理によって画面が更新されていても、処理結果情報４２を送信しないようにすることで表示の更新を行わないようにするものである。
【００４７】
本実施形態に係る情報処理システムの構成は上記第１実施形態と同様であるので、その説明は省略する。
【００４８】
図５Ａ及び図５Ｂは、上記ＤＳＣ１０のＣＰＵ１０１で実行される遠隔制御プログラムの一連の動作フローチャートを示している。ここで、上記第１実施形態と同様の処理については、図３Ａ及び図３Ｂに示した符号と同じ符号を付す。また、図６Ａ及び図６Ｂは、上記サーバ３０のＣＰＵ３０１で実行される遠隔制御プログラムの一連の動作フローチャートを示している。なお、本実施形態においても、第２の操作入力条件はＤＳＣ１０の入力インターフェース部１０２における２段式押しボタンスイッチ１０２Ａが半押しされているときに成立し、第１の操作入力条件は２段式押しボタンスイッチ１０２Ａが全押しされたときに成立するものとする。また、本実施形態においては、特別な命令が与えられない限りは、所定の間隔（Ｔ）ごとに、処理結果情報４２がＤＳＣ１０へ送信される。
【００４９】
即ち、ＤＳＣ１０においては、例えば、ユーザが入力インターフェース部１０２から遠隔制御の開始指示を行うと、あるいは、外部Ｉ／Ｆ１０６によりネットワーク２０を介してサーバ３０から遠隔制御開始指示を受信すると、ＣＰＵ１０１は、まず、該ＣＰＵ１０１内又はＲＡＭ１０４に設けた図示しない第２の操作入力条件成立フラグをＯＦＦとする（ステップＳ１３１）。そしてその後、サーバ３０との接続が既になされているか否かを判別する（ステップＳ１０２）。ここで、未だサーバ３０との接続がなされていないと判別したときには（これは例えばユーザが入力インターフェース部１０２から遠隔制御の開始指示を行った場合である）、外部Ｉ／Ｆ１０６によりネットワーク２０を介したサーバ３０との接続を確立する（ステップＳ１０３）。
【００５０】
一方、サーバ３０においては、例えば、サーバ３０の管理者が図１では図示していない入力インターフェース部から遠隔制御の開始指示を行うと、あるいは、ネットワーク２０を介してＤＳＣ１０から遠隔制御開始指示を受信すると、ＣＰＵ３０１は、まず、該ＣＰＵ３０１内又はＲＡＭ３０３に設けた図示しない情報送信許可フラグをＯＮとする（ステップＳ３０１）。そしてその後、ＤＳＣ１０との接続が既になされているか否かを判別する（ステップＳ３０２）。ここで、未だＤＳＣ１０との接続がなされていないと判別したときには（これは例えば管理者が入力インターフェース部から遠隔制御の開始指示を行った場合である）、外部Ｉ／Ｆ３０５によりネットワーク２０を介したＤＳＣ１０との接続を確立する（ステップＳ３０３）。
【００５１】
ＤＳＣ１０において、上記ステップＳ１０２でサーバ３０との接続済みであると判別したならば（これは例えばネットワーク２０を介してサーバ３０から遠隔制御開始指示を受信した場合である）、あるいは上記ステップＳ１０３でサーバ３０との接続を確立した後、ＣＰＵ１０１は、ネットワーク２０を介したサーバ３０からの処理結果情報４２の受信が無いか否かを判別する（ステップＳ１０４）。ここで、サーバ３０から処理結果情報４２の受信が無いと判別した場合には、更に、入力インターフェース部１０２からのユーザによる入力指示が無いか否かを判別する（ステップＳ１０５）。そして、この入力インターフェース部１０２からの入力指示も無いと判別したならば、更に、入力インターフェース部１０２から遠隔制御終了指示、あるいは、ネットワーク２０を介したサーバ３０からの遠隔制御終了指示が無いか否かを判別する（ステップＳ１０６）。ここで、遠隔制御終了指示が有れば該遠隔制御プログラムによる動作を終了するが、遠隔制御終了指示が無ければ上記ステップＳ１０４に戻り、上記処理を繰り返すことになる。なお、該遠隔制御プログラムによる動作が例えば上記ユーザが入力インターフェース部１０２から遠隔制御の開始指示を行ったことによって起動されたのであった場合には、上記終了時に、遠隔制御終了指示を外部Ｉ／Ｆ１０６によりネットワーク２０を介してサーバ３０に送信するようにしても良い。
【００５２】
一方、サーバ３０においては、上記ステップＳ３０２でＤＳＣ１０との接続済みであると判別したならば（これは例えばネットワーク２０を介してＤＳＣ１０から遠隔制御開始指示を受信した場合である）、あるいは上記ステップＳ３０３でＤＳＣ１０との接続を確立した後、ＣＰＵ３０１は、ネットワーク２０を介してＤＳＣ１０からの受信が無いか否かを判別する（ステップＳ３０４）。ここで、ＤＳＣ１０からの受信が無いと判別した場合には、サーバ３０の内部処理に応じて、ＲＡＭ３０３に記憶されている画面を更新、あるいはサーバ３０の内部処理に応じた画面を作成してＲＡＭ３０３に記憶する（ステップＳ３０５）。即ち、ＤＳＣ１０からの操作入力情報４１が無い場合でも、サーバ３０の画面は刻々と変化する場合があるため、このステップＳ３０５において、ＲＡＭ３０３に記憶されている画面を更新している。例えば、サーバ３０が動画再生を含む画面を生成している場合は、ＤＳＣ１０からの入力が無くても画面は再生されている動画に応じて刻々と変化していく。他にも、ゲーム画面を含む画面や、音楽プレーヤの再生時間カウンタを含む画面などでも同様である。
【００５３】
このような画面更新の後、前回の定期送信から所定の時間（所定の間隔（Ｔ））が経過していないか否かを判別する（ステップＳ３０６）。未だ所定の時間が経過していないと判別した場合には、更に、図示しない入力インターフェース部から遠隔制御終了指示、あるいは、ネットワーク２０を介したＤＳＣ１０からの遠隔制御終了指示が無いか否かを判別する（ステップＳ３０７）。ここで、遠隔制御終了指示が有れば該遠隔制御プログラムによる動作を終了するが、遠隔制御終了指示が無ければ上記ステップＳ３０４に戻り、上記処理を繰り返すことになる。なお、該遠隔制御プログラムによる動作が例えば上記管理者が図示しない入力インターフェース部から遠隔制御の開始指示を行ったことによって起動されたのであった場合には、上記終了時に、遠隔制御終了指示を外部Ｉ／Ｆ３０５によりネットワーク２０を介してＤＳＣ１０に送信するようにしても良い。
【００５４】
上記ステップＳ３０６において前回の定期送信から所定の時間（所定の間隔（Ｔ））が経過したと判別した場合には、更に、上記情報送信許可フラグがＯＦＦであるか否かを判別する（ステップＳ３０８）。ここで、上記情報送信許可フラグがＯＮであると判別した場合には、ＲＡＭ３０３に記憶されている画面を基に、変換したコンテンツ又は描画命令を処理結果情報４２として作成する（ステップＳ３０９）。そして、その作成した処理結果情報４２を外部Ｉ／Ｆ３０５によりネットワーク２０を介してＤＳＣ１０に送信して（ステップＳ３１０）、上記ステップＳ３０７に進む。
【００５５】
上記ステップＳ３１０での処理結果情報４２の送信が行われると、ＤＳＣ１０では、上記ステップＳ１０４においてサーバ３０からの受信が有ったと判別する。このようにサーバ３０からの受信が有ったと判別した場合、ＣＰＵ１０１は、その受信した処理結果情報４２をＲＡＭ１０４に記憶する（ステップＳ１０７）。そして、そのＲＡＭ１０４に記憶した処理結果情報４２は、そのまま表示可能なコンテンツであるか否かを判別する（ステップＳ１０９）。ここで、その記憶した処理結果情報４２がコンテンツであると判別したならば、その記憶したコンテンツを表示部１０５に表示する（ステップＳ１１０）。また、コンテンツが音の情報を含むものであれば、音出力部１１１でそれを音として再生出力する。これに対して、上記ステップＳ１０９で上記ＲＡＭ１０４に記憶した処理結果情報４２はコンテンツではないと判別した場合には、その処理結果情報４２に含まれる描画命令からコンテンツを作成して、ＲＡＭ１０４に記憶する（ステップＳ１１１）。そして、上記ステップＳ１１０に進み、その作成してＲＡＭ１０４に記憶したコンテンツを表示部１０５に表示する。
【００５６】
例えば、図７に示すように、サーバ３０内部では、動画の再生が行われており、内部処理によって画面が更新されている。そして、所定の間隔（Ｔ）ごとに、処理結果情報４２がＤＳＣ１０へ送信される。ＤＳＣ１０は、その所定の間隔ごとに受信する処理結果情報４２を表示部１０５にコンテンツとして表示する。つまり、ｔ＝０の時点で受信したコンテンツがｔ＝Ｔの時点まで表示され、ｔ＝Ｔの時点で新しいコンテンツが受信されて表示が更新される。このようにして、所定の時間毎に表示が更新されていく。
【００５７】
また、ＤＳＣ１０では、上記ステップＳ１０５において、入力インターフェース部１０２からの入力指示が有ったと判別した場合には、上記第２の操作入力条件成立フラグがＯＦＦであるか否かを判別する（ステップＳ１３２）。ここで、上記第２の操作入力条件成立フラグがＯＦＦとなっていると判別したならば、更に、上記入力指示が第２の操作入力条件か否かを判別する（ステップＳ１１３）。そして、上記入力指示が第２の操作入力条件でないと判別したならば、更に、それは第１の操作入力条件であるか否かを判別する（ステップＳ１１４）。上記入力指示が第１の操作入力条件でもないと判別した場合には、その入力指示を、入力インターフェース部１０２における十字キー等のキー部１０２Ｂの操作によってなされた操作入力情報４１として、外部Ｉ／Ｆ１０６によりネットワーク２０を介してサーバ３０に送信して（ステップＳ１１５）、上記ステップＳ１０６に進む。
【００５８】
上記ステップＳ１１５での操作入力情報４１の送信が行われると、サーバ３０では、上記ステップＳ３０４においてＤＳＣ１０からの受信が有ったと判別する。このようにＤＳＣ１０からの受信が有ったと判別した場合、ＣＰＵ３０１は、上記ＤＳＣ１０への処理結果情報４２の送信を停止させる命令である情報送信停止命令を受信したのか否かを判別する（ステップＳ３１１）。ここで、上記情報送信停止命令を受信したのではないと判別した場合には、更に、上記ＤＳＣ１０への処理結果情報４２の送信を再開させる命令である情報送信再開命令を受信したのか否かを判別する（ステップＳ３１２）。そして、上記情報送信再開命令を受信したのでもないと判別した場合には、操作入力情報４１を受信したのであるとして、その受信した操作入力情報４１に基づいて、ＲＡＭ３０３に記憶されている画面を更新、あるいはその受信した操作入力情報４１に基づいて画面を作成してＲＡＭ３０３に記憶する（ステップＳ３１３）。その後、上記送信許可フラグがＯＮであるか否かを判別する（ステップＳ３１４）。そして、上記送信許可フラグがＯＮであると判別した場合には、ＲＡＭ３０３に記憶されている画面を基に、変換したコンテンツ又は描画命令を処理結果情報４２として作成し（ステップＳ３１５）、その作成した処理結果情報４２を外部Ｉ／Ｆ３０５によりネットワーク２０を介してＤＳＣ１０に送信して（ステップＳ３１６）、上記ステップＳ３０５に進む。
【００５９】
上記ステップＳ３１６での処理結果情報４２の送信が行われると、ＤＳＣ１０では、上述したように、上記ステップＳ１０４から上記ステップＳ１０７、ステップＳ１０９へと進み、上記ステップＳ１１０、又は上記ステップＳ１１１及びステップＳ１１０により、コンテンツが表示部１０５に表示される。
【００６０】
これに対して、上記ステップＳ１１３において上記入力指示が第２の操作入力条件であると判別した場合には、ＤＳＣ１０のＣＰＵ１０１は、当該ＤＳＣ１０への処理結果情報４２の送信を停止させる命令である情報送信停止命令を、外部Ｉ／Ｆ１０６によりネットワーク２０を介してサーバ３０に送信する（ステップＳ１３３）。そして、上記第２の操作入力条件成立フラグをＯＮとして（ステップＳ１３４）、上記ステップＳ１０６に進む。
【００６１】
こうして上記ステップＳ１３３での情報送信停止命令の送信が行われると、サーバ３０では、上記ステップＳ３０４においてＤＳＣ１０からの受信が有ったと判別し、上記ステップＳ３１１において上記情報送信停止命令を受信したと判別する。すると、ＣＰＵ３０１は、上記情報送信許可フラグをＯＦＦとして（ステップＳ３１７）、上記ステップＳ３０５に進む。そして、上記ステップＳ３０５にて、サーバ３０の内部処理に応じて、ＲＡＭ３０３に記憶されている画面を更新、あるいはサーバ３０の内部処理に応じた画面を作成してＲＡＭ３０３に記憶した後、上記ステップＳ３０６から上記ステップＳ３０８に進んだとき、該ステップＳ３０８において、上記情報送信許可フラグがＯＦＦであると判別される。このように上記情報送信許可フラグがＯＦＦであると判別した場合には、上述したようなステップＳ３０９及びステップＳ３１０の処理は行わずに、直ちに、上記ステップＳ３０７に進む。即ち、ＲＡＭ３０３に記憶されている画面に基づく処理結果情報４２の作成及び送信は行われない。
【００６２】
例えば、図７のｔ＝Ｔの時点からｔ＝２Ｔの時点までの間に２段式押しボタンスイッチ１０２Ａが半押しされて上記第２の操作入力条件が成立すると、ＤＳＣ１０から情報送信停止命令４３がサーバ３０に送信され、これにより、時刻ｔ＝２Ｔの時点で、そのときサーバ３０において内部処理により画像が更新されていたとしても、その画面が処理結果情報４２として送信されることはない。従って、ＤＳＣ１０の表示部１０５には、上記ｔ＝Ｔの時点で受信した処理結果情報４２によるコンテンツが表示され続ける。つまり、表示が固定される。このように、ＤＳＣ１０の２段式押しボタンスイッチ１０２Ａを半押しすると、新たな処理結果情報４２が送信されてくることはないので、表示部１０５の更新は行われない。
【００６３】
そして、ＤＳＣ１０の２段式押しボタンスイッチ１０２Ａが全押しされると、上記ステップＳ１０５からステップＳ１３２に進んだとき、上記ステップＳ１３４でＯＮとされているので、第２の操作入力条件成立フラグはＯＦＦではないと判別される。この場合には、ＣＰＵ１０１は、上記入力指示が第１の操作入力条件であるか否かを判別する（ステップＳ１１７）。そして、入力指示が第１の操作入力条件であると判別したならば、表示部１０５に表示中のコンテンツをファイル管理部１０７により静止画として記録部１０８に記録する（ステップＳ１１８）。なおこの場合、圧縮伸張エンジン１０９により、静止画を圧縮してから記録するようにしても良い。そして、当該ＤＳＣ１０への処理結果情報４２の送信を再開させる命令である情報送信再開命令を、外部Ｉ／Ｆ１０６によりネットワーク２０を介してサーバ３０に送信する（ステップＳ１３５）。その後、上記第２の操作入力条件成立フラグをＯＦＦとして（ステップＳ１３６）、上記ステップＳ１０６に進む。
【００６４】
こうして上記ステップＳ１３６での情報送信再開命令の送信が行われると、サーバ３０では、上記ステップＳ３０４においてＤＳＣ１０からの受信が有ったと判別し、上記ステップＳ３１１からステップＳ３１２に進んで、該ステップＳ３１２において上記情報送信再開命令を受信したと判別する。すると、ＣＰＵ３０１は、上記情報送信許可フラグをＯＮとして（ステップＳ３１８）、上記ステップＳ３０５に進む。そして、上記ステップＳ３０５にて、サーバ３０の内部処理に応じて、ＲＡＭ３０３に記憶されている画面を更新、あるいはサーバ３０の内部処理に応じた画面を作成してＲＡＭ３０３に記憶した後、上記ステップＳ３０６から上記ステップＳ３０８に進んだとき、該ステップＳ３０８においては、上記情報送信許可フラグがＯＮであると判別されるので、上述したようなステップＳ３０９及びステップＳ３１０の処理を行って、ＲＡＭ３０３に記憶されている画面に基づく処理結果情報４２の作成及び送信を行うことになる。
【００６５】
例えば、図７のｔ＝２Ｔの時点からｔ＝３Ｔの時点までの間に２段式押しボタンスイッチ１０２Ａが全押しされて上記第１の操作入力条件が成立すると、２段式押しボタンスイッチ１０２Ａの半押しで固定された表示コンテンツが静止画として記録される。そして、ＤＳＣ１０から情報送信再開命令４４がサーバ３０に送信され、これにより、次の時刻ｔ＝３Ｔの時点で、そのときサーバ３０において内部処理により更新されている画面が処理結果情報４２としてＤＳＣ１０に送信され、ＤＳＣ１０では、その受信した処理結果情報４２をＲＡＭ１０４に記憶し、その処理結果情報４２によるコンテンツの表示の更新が行われる。このように、ＤＳＣ１０は、２段式押しボタンスイッチ１０２Ａが全押しされた後は、受信する処理結果情報４２による表示部１０５の更新を再開する。
【００６６】
なお、ＤＳＣ１０において、上記ステップＳ１１７で入力指示が第１の操作入力条件ではないと判別された場合には、更に、上記入力指示は上記第２の操作入力条件の解除か否かを判別する（ステップＳ１２０）。第２の操作入力条件の解除でなければ上記ステップＳ１０６に進み、解除であれば上記ステップＳ１３５に進む。つまり、上記２段式押しボタンスイッチ１０２Ａが半押しされた状態から、全押しされることなく、その半押し状態が解除された場合には、上記ステップＳ１１７から上記ステップＳ１２０に進み、該ステップＳ１２０で入力指示が第２の操作入力条件の解除と判別されて、上記ステップＳ１３５において情報送信再開命令４４がサーバ３０へ送信される。従って、２段式押しボタンスイッチ１０２Ａの半押しが解除された後は、サーバ３０からＤＳＣ１０への所定の間隔ごとの処理結果情報４２の送信が再開され、ＤＳＣ１０での表示更新が再開されることとなる。一方で、上記２段式押しボタンスイッチ１０２Ａが半押しされた状態から、全押しされることなく、入力インターフェース部１０２における十字キー等のキー部１０２Ｂの操作がなされた場合には、上記操作による操作入力情報の送信は発生しない。
【００６７】
また、上記ステップＳ１１４において入力指示が第１の操作入力条件ではないと判別された場合には、表示部１０５に表示中のコンテンツをファイル管理部１０７により静止画として記録部１０８に記録して（ステップＳ１２１）、上記ステップＳ１０６に進む。つまり、上記２段式押しボタンスイッチ１０２Ａが半押しされることなく直ちに全押しされた場合には、表示の固定を行うこと無く、直ちに静止画の記録が行われる。この場合、上記ステップＳ１３３の情報送信停止命令４３の送信及び上記ステップＳ１３４の第２の操作入力条件成立フラグをＯＮにする処理を介していないので、上記ステップＳ１１８，Ｓ１３５，Ｓ１３６のように記録後に情報送信再開命令４４の送信及び第２の操作入力条件成立フラグをＯＦＦにする処理は必要としない。
【００６８】
また、サーバ３０において、上記ステップＳ３１４で上記送信許可フラグがＯＦＦであると判別した場合には、上記ステップＳ３１５及びステップＳ３１６の処理を行うことなく、直ちに上記ステップＳ３０５に進む。即ち、ＲＡＭ３０３に記憶されている画面に基づく処理結果情報４２の作成及びその送信は行わない。
【００６９】
以上のように、本第２実施形態においても、上記第１実施形態と同様に、ＤＳＣ１０上に表示されるサーバ３０の処理結果情報４２をユーザが望むタイミングで固定し、記録することができる。従って、ユーザが処理結果情報４２を確認することが容易となり、再利用することが可能となる。
【００７０】
また、サーバ３０からＤＳＣ１０への送信回数を減らすことができるため、ネットワーク帯域の無駄遣いが減ると共に、省電力によるＤＳＣ１０の駆動時間の延長に結びつく。
【００７１】
さらに、ＤＳＣ１０においての一般的な撮影手段と共通する部分のある手段により処理結果情報４２の固定及び記録をすることができるため、ユーザにとって直感的に理解され易い、処理結果情報４２の固定及び記録方法を提供することが可能となる。
【００７２】
［第３実施形態］
次に、本発明の第３実施形態を説明する。上記第１及び第２実施形態は、ユーザが望むタイミングで処理結果情報を記録するというものであったが、本実施形態は、ユーザが望むタイミングで一連の処理結果情報を記録するものである。
【００７３】
本実施形態に係る情報処理システムの構成は上記第１実施形態と同様であるので、その説明は省略する。
【００７４】
図８Ａ及び図８Ｂは、上記ＤＳＣ１０のＣＰＵ１０１で実行される遠隔制御プログラムの一連の動作フローチャートを示している。ここで、上記第１実施形態と同様の処理については、図３Ａ及び図３Ｂに示した符号と同じ符号を付す。
【００７５】
即ち、ＤＳＣ１０においては、例えば、ユーザが入力インターフェース部１０２から遠隔制御の開始指示を行うと、あるいは、外部Ｉ／Ｆ１０６によりネットワーク２０を介してサーバ３０から遠隔制御開始指示を受信すると、ＣＰＵ１０１は、まず、該ＣＰＵ１０１内又はＲＡＭ１０４に設けた図示しない第３の操作入力条件成立フラグをＯＦＦとする（ステップＳ１４１）。そしてその後、サーバ３０との接続が既になされているか否かを判別する（ステップＳ１０２）。ここで、未だサーバ３０との接続がなされていないと判別したときには（これは例えばユーザが入力インターフェース部１０２から遠隔制御の開始指示を行った場合である）、外部Ｉ／Ｆ１０６によるネットワーク２０を介したサーバ３０との接続を確立する（ステップＳ１０３）。
【００７６】
上記ステップＳ１０２でサーバ３０との接続済みであると判別したならば（これは例えばネットワーク２０を介してサーバ３０から遠隔制御開始指示を受信した場合である）、あるいは上記ステップＳ１０３でサーバ３０との接続を確立した後、ＣＰＵ１０１は、ネットワーク２０を介したサーバ３０からの処理結果情報４２の受信が無いか否かを判別する（ステップＳ１０４）。ここで、サーバ３０から処理結果情報４２の受信が無いと判別した場合には、更に、入力インターフェース部１０２からのユーザによる入力指示の有無を判別する（ステップＳ１０５）。そして、この入力インターフェース部１０２からの入力指示も無いと判別したならば、更に、入力インターフェース部１０２から遠隔制御終了指示、あるいは、ネットワーク２０を介したサーバ３０からの遠隔制御終了指示が無いか否かを判別する（ステップＳ１０６）。ここで、遠隔制御終了指示が有れば該遠隔制御プログラムによる動作を終了するが、遠隔制御終了指示が無ければ上記ステップＳ１０４に戻り、上記処理を繰り返すことになる。
【００７７】
一方、上記ステップＳ１０４において、サーバ３０から処理結果情報４２の受信が有ったと判別した場合には、その受信した処理結果情報４２をＲＡＭ１０４に記憶する（ステップＳ１０７）。そして、上記ＲＡＭ１０４に記憶した処理結果情報４２は、そのまま表示可能なコンテンツであるか否かを判別する（ステップＳ１０９）。ここで、上記ＲＡＭ１０４に記憶した処理結果情報４２がコンテンツであると判別したならば、上記ＲＡＭ１０４に記憶したコンテンツを表示部１０５に表示する（ステップＳ１１０）。また、コンテンツが音の情報を含むものであれば、音出力部１１１でそれを音として再生出力する。これに対して、上記ステップＳ１０９で上記ＲＡＭ１０４に記憶した処理結果情報４２はコンテンツではないと判別した場合には、その処理結果情報４２に含まれる描画命令からコンテンツを作成して、ＲＡＭ１０４に記憶する（ステップＳ１１１）。そして、上記ステップＳ１１０に進み、その作成してＲＡＭ１０４に記憶したコンテンツを表示部１０５に表示する。
【００７８】
上記第１実施形態と同様に、本実施形態においても、例えば、図９に示すように、サーバ３０内部では、動画の再生が行われており、内部処理によって画面が更新されている。そして、所定の間隔（Ｔ）ごとに、処理結果情報４２がＤＳＣ１０へ送信される。ＤＳＣ１０は、その所定の間隔ごとに受信する処理結果情報４２を表示部１０５にコンテンツとして表示する。つまり、ｔ＝０の時点で受信したコンテンツがｔ＝Ｔの時点まで表示され、ｔ＝Ｔの時点で新しいコンテンツが受信されて表示が更新される。このようにして、所定の時間毎に表示が更新されていく。
【００７９】
また、上記ステップＳ１０５において、入力インターフェース部１０２からの入力指示が有ったと判別した場合には、上記第３の操作入力条件成立フラグがＯＦＦであるか否かを判別する（ステップＳ１４２）。ここで、第３の操作入力条件成立フラグがＯＦＦとなっていると判別したならば、更に、上記入力指示が第３の操作入力条件か否かを判別する（ステップＳ１４３）。なお、第３の操作入力条件としては、ＤＳＣ１０の入力インターフェース部１０２における２段式押しボタンスイッチ１０２Ａが全押しされたときに成立し、後述する第４の操作入力条件は上記２段式押しボタンスイッチ１０２Ａが再度全押しされたときに成立するものとする。上記入力指示が第３の操作入力条件ではないと判別した場合には、その入力指示を、入力インターフェース部１０２における十字キー等のキー部１０２Ｂの操作によってなされた操作入力情報４１として、外部Ｉ／Ｆ１０６によりネットワーク２０を介してサーバ３０に送信して（ステップＳ１１５）、上記ステップＳ１０６に進む。
【００８０】
これに対して、上記ステップＳ１４３において上記入力指示が第３の操作入力条件であると判別した場合には、表示部１０５に表示中のコンテンツをファイル管理部１０７により動画として記録部１０８に記録開始する（ステップＳ１４４）。そして、上記第３の操作入力条件成立フラグをＯＮとして（ステップＳ１４５）、上記ステップＳ１０６に進む。こうして第３の操作入力条件成立フラグをＯＮにした後に、上記ステップＳ１０６、ステップＳ１０４、ステップＳ１０７と進んだとしても、本実施形態では、表示は固定されることなく、更新されていくことになる。
【００８１】
例えば、図９のｔ＝Ｔの時点からｔ＝２Ｔの時点までの間に２段式押しボタンスイッチ１０２Ａが全押しされて上記第３の操作入力条件が成立すると、そのときに表示されているコンテンツ、つまりｔ＝Ｔの時点で受信した処理結果情報４２によるコンテンツが記録部１０８に記録される。そして、次の時刻ｔ＝２Ｔの時点で、そのときサーバ３０において内部処理により更新されている画面が処理結果情報４２として送信され、それをＤＳＣ１０で受信すると、その受信した処理結果情報４２はＲＡＭ１０４に記憶されてコンテンツの表示更新が行われると共に、その表示されたコンテンツの記録部１０８への記録も行われる。このようにして、所定の間隔（Ｔ）ごとにサーバ３０から送られてくる処理結果情報４２によるコンテンツが記録部１０８に連続的に記録される、つまり動画として記録される。
【００８２】
そして、入力インターフェース部１０２から何らかの入力指示がなされると、上記ステップＳ１０５から上記ステップＳ１４２に進む。ここで、上記ステップＳ１４５において上記第３の操作入力条件成立フラグがＯＮとされているので、今度は、その入力指示が第４の操作入力条件か否かを判別することになる（ステップＳ１４６）。そして、第４の操作入力条件ではないと判別した場合には、上記ステップＳ１０６に進む。つまり、動画の記録中は、入力インターフェース部１０２における十字キー等のキー部１０２Ｂの操作は受け付けない。
【００８３】
これに対して、ＤＳＣ１０の２段式押しボタンスイッチ１０２Ａが再度全押しされたときには、該ステップＳ１４６において、上記入力指示が第４の操作入力条件であると判別するので、この場合には、ＣＰＵ１０１は、表示部１０５に表示中のコンテンツの動画としての記録部１０８への記録を終了する（ステップＳ１４７）。そして、上記第３の操作入力条件成立フラグをＯＦＦとして（ステップＳ１４８）、上記ステップＳ１０６に進む。
【００８４】
例えば、図９のｔ＝２Ｔの時点からｔ＝３Ｔの時点までの間に２段式押しボタンスイッチ１０２Ａが再度全押しされた場合、そのｔ＝２Ｔの時点までで、記録部１０８への記録を終了する。そして、時刻ｔ＝３Ｔの時点で、そのときサーバ３０において内部処理により更新されている画面が処理結果情報４２として送信され、それをＤＳＣ１０で受信したならば、ＤＳＣ１０では、その受信した処理結果情報４２をＲＡＭ１０４に記憶し、その処理結果情報４２によるコンテンツの表示の更新が行われる。
【００８５】
以上のように、本第３実施形態によれば、ＤＳＣ１０上に表示されるサーバ３０の処理結果情報４２をユーザが望むタイミングで動画として記録することができる。従って、ユーザが処理結果情報４２を確認することが容易となり、再利用することが可能となる。
【００８６】
なお、本第３実施形態によれば、第３の操作入力条件が成立し、第４の操作入力条件が成立するまでに受信するそれぞれの処理結果情報４２が、記録部１０８に記録される動画の各フレームとなり、フレームレートは処理結果情報４２の受信間隔となる。しかし、動画のフレームレートは、処理結果情報４２の受信間隔と異なるものであってもよい。例えば、記録部１０８に記録される動画のファイルサイズを大きくしないために、処理結果情報４２の受信間隔よりも低いフレームレートで動画を記録することもできる。
【００８７】
なお、上記第３の操作入力条件は２段式押しボタンスイッチ１０２Ａが半押しされているときに成立し、上記第４の操作入力条件は上記２段式押しボタンスイッチ１０２Ａが全押しされたときに成立するものとしても良い。この場合は、２段式押しボタンスイッチ１０２Ａが半押しされてから全押しされるまでの間が動画として記録されることになる。
【００８８】
また、このような第３の操作入力条件を２段式押しボタンスイッチ１０２Ａの半押しとした場合には、第４の操作入力条件は上記２段式押しボタンスイッチ１０２Ａが全押しがされることなく、半押しが解除されることもあり得る。そのような場合に対処するために、図１０に示すように、上記ステップＳ１４６において、上記入力指示が第４の操作入力条件ではないと判別した場合に、更に、上記入力指示が上記第３の操作入力条件の解除か否かを判別する（ステップＳ１４９）。そして、第３の操作入力条件の解除ではないと判別した場合には、上記ステップＳ１０６に進む。これに対して、上記入力指示が上記第３の操作入力条件の解除であると判別した場合には、表示部１０５に表示中のコンテンツの動画としての記録部１０８への記録を終了し（ステップＳ１５０）、上記ステップＳ１４４で開始してから該ステップＳ１５０で終了するまでの間に記録部１０８に記録した動画を、ファイル管理部１０７により削除する（ステップＳ１５１）。そして、上記第３の操作入力条件成立フラグをＯＦＦとして（ステップＳ１４８）、上記ステップＳ１０６に進む。
【００８９】
このように、２段式押しボタンスイッチ１０２Ａが半押しされた後にそれが全押しがされることなく、半押しが解除された場合には、動画の記録を終了すると共に、ユーザはその動画を保存しておく意志がないものと判断して、記録済みの動画を削除する。
【００９０】
勿論、上記ステップＳ１５１の削除動作を行わずに、保存しておき、必要に応じてユーザが入力インターフェース部１０２における十字キー等のキー部１０２Ｂの操作によって削除するように構成しても構わない。
【００９１】
以上実施形態に基づいて本発明を説明したが、本発明は上述した実施形態に限定されるものではなく、本発明の要旨の範囲内で種々の変形や応用が可能なことは勿論である。
【００９２】
例えば、上記実施形態の機能を実現するソフトウェアのプログラムをコンピュータに供給し、当該コンピュータがこのプログラムを実行することによって、上記機能を実現することも可能である。
【００９３】
（付記）
前記の具体的実施形態から、以下のような構成の発明を抽出することができる。
【００９４】
（１）  情報端末と、上記情報端末とデータ通信可能に接続されたサーバ装置と、を含む情報処理システムにおいて、
上記サーバ装置は、上記情報端末から送信されたデータに応じて、あるいは該サーバ装置内部の処理に応じて、上記情報端末の操作画面に表示される画面の画面データを生成し上記情報端末に送信する画面データ生成部を具備し、
上記情報端末は、
該情報端末にかかわる操作入力を行うための操作入力部と、
上記サーバ装置から送信される上記画面データに基づいて、該情報端末の操作画面の表示内容を更新する操作画面制御部と、
第１の操作入力に応じて、上記操作画面に表示されている表示内容を記憶する記憶部と、
を具備することを特徴とする情報処理システム。
【００９５】
（対応する実施形態）
この（１）に記載の情報処理システムに関する実施形態は、第１及び第２実施形態が対応する。それらの実施形態において、ＤＳＣ１０が上記情報端末に、サーバ３０が上記サーバ装置に、操作入力情報４１が上記情報端末から送信されたデータに、処理結果情報４２が上記画面データに、ＣＰＵ３０１が上記画面データ生成部に、入力インターフェース部１０２が上記操作入力部に、ＣＰＵ１０１が上記操作画面制御部に、記録部１０８が上記記憶部に、それぞれ対応する。
【００９６】
（作用効果）
この（１）に記載の情報処理システムによれば、情報端末から送信されたデータに応じてあるいはサーバ装置内部の処理に応じてサーバ装置で生成されて情報端末に送信され、該情報端末の操作画面に表示される表示内容を、ユーザが好むタイミング通りに情報端末で記録することができる。従って、処理結果情報の再利用が可能となると共に、ユーザの満足度を向上させることができる。
【００９７】
（２）  上記操作画面制御部は、第２の操作入力が行われたときには、その時点での上記操作画面の表示内容を保持し、
上記第１の操作入力が行われた場合には、上記記憶部は、上記操作画面制御部に保持された上記操作画面の表示内容を記憶すると共に、上記操作画面制御部は、上記操作画面の表示内容の更新を再開することを特徴とする（１）に記載の情報処理システム。
【００９８】
（対応する実施形態）
この（２）に記載の情報処理システムに関する実施形態は、第１及び第２実施形態が対応する。
【００９９】
（作用効果）
この（２）に記載の情報処理システムによれば、情報端末の操作画面に表示される表示内容をユーザが望むタイミングで固定することができるので、情報端末から送信されたデータに応じてあるいはサーバ装置内部の処理に応じてサーバ装置で生成された画面データの確認が容易になると共に、ユーザの満足度を向上させることができる。
【０１００】
（３）  上記操作画面制御部は、上記第２の操作入力が行われてから、（１）上記第２の操作入力が解除されるまで、（２）上記第１の操作入力が行われるまで、及び／または（３）上記保持された操作画面の表示内容の記憶動作が終了するまで、の間、上記操作画面制御部に保持された上記操作画面の表示内容を上記操作画面に表示することを特徴とする（２）に記載の情報処理システム。
【０１０１】
（対応する実施形態）
この（３）に記載の情報処理システムに関する実施形態は、第１及び第２実施形態が対応する。
【０１０２】
（作用効果）
この（３）に記載の情報処理システムによれば、固定された表示をユーザが望むタイミングで解除することができるので、ユーザの満足度を向上させることができる。
【０１０３】
（４）  さらに、
上記情報端末に設けられ、上記第２の操作入力が行われたときに、上記サーバ装置に対して、上記画面データの送信停止要求を行う画面データ送信停止要求部を具備し、
上記画面データ生成部は、上記画面データの送信停止要求が行われたときには、上記情報端末へ上記画面データを送信することを停止することを特徴とする（２）に記載の情報処理システム。
【０１０４】
（対応する実施形態）
この（４）に記載の情報処理システムに関する実施形態は、第２実施形態が対応する。その実施形態において、情報送信停止命令４３が上記送信停止要求に、ＣＰＵ１０１が上記画面データ送信停止要求部に対応する。
【０１０５】
（作用効果）
この（４）に記載の情報処理システムによれば、サーバ装置からの送信回数を減らすことができるので、情報端末とサーバ装置とを繋ぐネットワーク帯域の無駄遣いが減ると共に、省電力による情報端末の駆動時間の延長に結びつく。
【０１０６】
（５）  さらに、
上記情報端末側に設けられ、上記第１の操作入力が行われたとき、及び／または上記第２の操作入力が解除されたときに、上記サーバ装置に対して、上記画面データの送信再開要求を行う画面データ送信再開要求部を具備し、
上記画面データ生成部は、上記画面データの送信再開要求が行われたとき、には、上記情報端末への上記画面データの送信を再開させることを特徴とする（４）に記載の情報処理システム。
【０１０７】
（対応する実施形態）
この（５）に記載の情報処理システムに関する実施形態は、第２実施形態が対応する。その実施形態において、情報送信再開命令４４が上記送信再開要求に、ＣＰＵ１０１が上記画面データ送信再開要求部に対応する。
【０１０８】
（作用効果）
この（５）に記載の情報処理システムによれば、固定された表示をユーザが望むタイミングで解除することができるので、ユーザの満足度を向上させることができる。
【０１０９】
（６）  上記操作入力部は、２段式の押しボタンスイッチを含み、上記押しボタンスイッチは第１段目の押しボタン操作により上記第２の操作入力が行われ、第２段目の押しボタン操作により上記第１の操作入力が行われるように構成されていることを特徴とする（２）に記載の情報処理システム。
【０１１０】
（対応する実施形態）
この（６）に記載の情報処理システムに関する実施形態は、第１及び第２実施形態が対応する。それらの実施形態において、２段式押しボタンスイッチ１０２Ａが上記２段式の押しボタンスイッチに対応する。
【０１１１】
（作用効果）
この（６）に記載の情報処理システムによれば、２段式の押しボタンスイッチの第１段目の押しボタン操作で画面固定、第２段目の押しボタン操作で記録というのは、デジタルスチルカメラにおいての一般的な静止画の撮影手段と共通する部分があるので、ユーザにとって直感的に理解され易く、操作に不慣れなユーザでも利用できる。
【０１１２】
（７）  上記画面データは、上記情報端末の操作画面に表示されるべき画面のイメージを変換したコンテンツ、または上記コンテンツを上記情報端末の上記操作画面上に表示させるための描画命令を含むことを特徴とする（１）に記載の情報処理システム。
【０１１３】
（対応する実施形態）
この（７）に記載の情報処理システムに関する実施形態は、第１乃至第３実施形態が対応する。
【０１１４】
（作用効果）
この（７）に記載の情報処理システムによれば、情報端末とサーバ装置とを繋ぐネットワークや情報端末の構成／要求に応じた形態で画面データを送信できる。
【０１１５】
（８）  情報端末と、上記情報端末とデータ通信可能に接続されたサーバ装置と、を含む情報処理システムにおいて、
上記サーバ装置は、上記情報端末から送信されたデータに応じて、あるいは該サーバ装置内部の処理に応じて、上記情報端末の操作画面に表示される画面の画面データを生成し上記情報端末に送信する画面データ生成部を具備し、
上記情報端末は、
該情報端末にかかわる操作入力を行うための操作入力部と、
上記サーバ装置から送信される上記画面データに基づいて、該情報端末の操作画面の表示内容を更新する操作画面制御部と、
第３の操作入力に応じて、上記操作画面に表示されている表示内容の記憶を開始し、第４の操作入力に応じて、上記操作画面に表示されている表示内容の記憶を終了する記憶部と、
を具備することを特徴とする情報処理システム。
【０１１６】
（対応する実施形態）
この（８）に記載の情報処理システムに関する実施形態は、第３実施形態が対応する。その実施形態において、ＤＳＣ１０が上記情報端末に、サーバ３０が上記サーバ装置に、操作入力情報４１が上記情報端末から送信されたデータに、処理結果情報４２が上記画面データに、ＣＰＵ３０１が上記画面データ生成部に、入力インターフェース部１０２が上記操作入力部に、ＣＰＵ１０１が上記操作画面制御部に、記録部１０８が上記記憶部に、それぞれ対応する。
【０１１７】
（作用効果）
この（８）に記載の情報処理システムによれば、情報端末から送信されたデータに応じてあるいはサーバ装置内部の処理に応じてサーバ装置で生成されて情報端末に送信され、該情報端末の操作画面に表示される表示内容を、ユーザが好むタイミング通りに情報端末で記録することができる。従って、処理結果情報の再利用が可能となると共に、ユーザの満足度を向上させることができる。更に、一連の表示内容を動画として記録することができる。
【０１１８】
（９）  外部のサーバ装置とデータ通信可能な情報端末において、
上記サーバ装置から送信される画面データに基づいて、操作画面の表示内容を更新する操作画面制御部と、
操作入力を行うための操作入力部と、
第１の操作入力に応じて、上記操作画面に表示されている表示内容を記憶する記憶部と、
を具備することを特徴とする情報端末。
【０１１９】
（対応する実施形態）
この（９）に記載の情報端末に関する実施形態は、第１及び第２実施形態が対応する。それらの実施形態において、ＤＳＣ１０が上記情報端末に、サーバ３０が上記サーバ装置に、処理結果情報４２が上記画面データに、ＣＰＵ１０１が上記操作画面制御部に、入力インターフェース部１０２が上記操作入力部に、記録部１０８が上記記憶部に、それぞれ対応する。
【０１２０】
（作用効果）
この（９）に記載の情報端末によれば、情報端末から送信されたデータに応じてあるいはサーバ装置内部の処理に応じてサーバ装置で生成されて情報端末に送信され、該情報端末の操作画面に表示される表示内容を、ユーザが好むタイミング通りに情報端末で記録することができる。従って、処理結果情報の再利用が可能となると共に、ユーザの満足度を向上させることができる。
【０１２１】
（１０）  上記操作画面制御部は、第２の操作入力が行われたときには、その時点での上記操作画面の表示内容を保持し、
上記第１の操作入力が行われた場合には、上記記憶部は、上記操作画面制御部に保持された上記操作画面の表示内容を記憶すると共に、上記操作画面制御部は、上記操作画面の表示内容の更新を再開することを特徴とする（９）に記載の情報端末。
【０１２２】
（対応する実施形態）
この（１０）に記載の情報端末に関する実施形態は、第１及び第２実施形態が対応する。
【０１２３】
（作用効果）
この（１０）に記載の情報端末によれば、情報端末の操作画面に表示される表示内容をユーザが望むタイミングで固定することができるので、情報端末から送信されたデータに応じてあるいはサーバ装置内部の処理に応じてサーバ装置で生成された画面データの確認が容易になると共に、ユーザの満足度を向上させることができる。
【０１２４】
（１１）  さらに、上記第２の操作入力が行われたときに、上記サーバ装置に対して、上記画面データの送信停止要求を行う画面データ送信停止要求部を具備することを特徴とする（１０）に記載の情報端末。
【０１２５】
（対応する実施形態）
この（１１）に記載の情報端末に関する実施形態は、第２実施形態が対応する。その実施形態において、情報送信停止命令４３が上記送信停止要求に、ＣＰＵ１０１が上記画面データ送信停止要求部に対応する。
【０１２６】
（作用効果）
この（１１）に記載の情報端末によれば、サーバ装置からの送信回数を減らすことができるので、情報端末とサーバ装置とを繋ぐネットワーク帯域の無駄遣いが減ると共に、省電力による情報端末の駆動時間の延長に結びつく。
【０１２７】
（１２）  さらに、上記第１の操作入力が行われたとき、及び／または上記第２の操作入力が解除されたときには、上記サーバ装置に対して、上記画面データの送信再開要求を行う画面データ送信再開要求部を具備することを特徴とする（１１）に記載の情報端末。
【０１２８】
（対応する実施形態）
この（１２）に記載の情報端末に関する実施形態は、第２実施形態が対応する。その実施形態において、情報送信再開命令４４が上記送信再開要求に、ＣＰＵ１０１が上記画面データ送信再開要求部に対応する。
【０１２９】
（作用効果）
この（１２）に記載の情報端末によれば、固定された表示をユーザが望むタイミングで解除することができるので、ユーザの満足度を向上させることができる。
【０１３０】
（１３）  外部情報端末とデータ通信可能に接続されたサーバ装置において、
上記外部情報端末から送信されたデータに応じて、あるいは該サーバ装置内部の処理に応じて、上記外部情報端末の操作画面に表示される画面の画面データを生成し上記外部情報端末に送信する画面データ生成部と、
上記外部情報端末から上記画面データの送信停止要求があった場合には、上記外部情報端末への上記画面データの送信を停止し、且つ、上記外部情報端末装置から上記画面データの送信再開要求があった場合には、上記外部情報端末への上記画面データの送信を再開する画面データ送信制御部と、
を具備することを特徴とするサーバ装置。
【０１３１】
（対応する実施形態）
この（１３）に記載のサーバ装置に関する実施形態は、第２実施形態が対応する。その実施形態において、ＤＳＣ１０が上記外部情報端末に、サーバ３０が上記サーバ装置に、操作入力情報４１が上記外部情報端末から送信されたデータに、処理結果情報４２が上記画面データに、ＣＰＵ３０１が上記画面データ生成部に、情報送信停止命令４３が上記送信停止要求に、情報送信再開命令４４が上記送信再開要求に、ＣＰＵ３０１が上記画像データ送信制御手段に、それぞれ対応する。
【０１３２】
（作用効果）
この（１３）に記載のサーバ装置によれば、外部情報端末から送信されたデータに応じてあるいはサーバ装置内部の処理に応じてサーバ装置で生成されて外部情報端末に送信され、該外部情報端末の操作画面に表示される表示内容を、ユーザが好むタイミング通りに外部情報端末で記録することができる。従って、処理結果情報の再利用が可能となると共に、ユーザの満足度を向上させることができる。
【０１３３】
更に、外部情報端末の操作画面に表示される表示内容をユーザが望むタイミングで固定することができるので、外部情報端末から送信されたデータに応じてあるいはサーバ装置内部の処理に応じてサーバ装置で生成された画面データの確認が容易になると共に、ユーザの満足度を向上させることができる。
【０１３４】
また、サーバ装置からの送信回数を減らすことができるので、外部情報端末とサーバ装置とを繋ぐネットワーク帯域の無駄遣いが減ると共に、省電力による外部情報端末の駆動時間の延長に結びつく。更に、固定された表示をユーザが望むタイミングで解除することができるので、ユーザの満足度を向上させることができる。
【図面の簡単な説明】
【０１３５】
【図１】本発明の第１実施形態に係る情報処理システムの構成を示す図である。
【図２】ＤＳＣの操作に応じたサーバ及びＤＳＣの動作を説明するための図である。
【図３Ａ】第１実施形態に係る情報処理システムにおけるＤＳＣのＣＰＵで実行される遠隔制御プログラムの一連の動作フローチャートの前半部分を示す図である。
【図３Ｂ】第１実施形態に係る情報処理システムにおけるＤＳＣのＣＰＵで実行される遠隔制御プログラムの一連の動作フローチャートの後半部分を示す図である。
【図４】第１実施形態に係る情報処理システムにおけるサーバ及びＤＳＣの動作を説明するための図である。
【図５Ａ】本発明の第２実施形態に係る情報処理システムにおけるＤＳＣのＣＰＵで実行される遠隔制御プログラムの一連の動作フローチャートの前半部分を示す図である。
【図５Ｂ】第２実施形態に係る情報処理システムにおけるＤＳＣのＣＰＵで実行される遠隔制御プログラムの一連の動作フローチャートの後半部分を示す図である。
【図６Ａ】第２実施形態に係る情報処理システムにおけるサーバのＣＰＵで実行される遠隔制御プログラムの一連の動作フローチャートの前半部分を示す図である。
【図６Ｂ】第２実施形態に係る情報処理システムにおけるサーバのＣＰＵで実行される遠隔制御プログラムの一連の動作フローチャートの後半部分を示す図である。
【図７】第２実施形態に係る情報処理システムにおけるサーバ及びＤＳＣの動作を説明するための図である。
【図８Ａ】本発明の第３実施形態に係る情報処理システムにおけるＤＳＣのＣＰＵで実行される遠隔制御プログラムの一連の動作フローチャートの前半部分を示す図である。
【図８Ｂ】第３実施形態に係る情報処理システムにおけるＤＳＣのＣＰＵで実行される遠隔制御プログラムの一連の動作フローチャートの後半部分を示す図である。
【図９】第３実施形態に係る情報処理システムにおけるサーバ及びＤＳＣの動作を説明するための図である。
【図１０】第３実施形態の変形例を説明するための図８Ｂに対応するフローチャートを示す図である。
【符号の説明】
【０１３６】
１０…デジタルスチルカメラ（ＤＳＣ）、  ２０…ネットワーク、  ３０…サーバ、  ４１…操作入力情報、  ４２…処理結果情報、  ４３…情報送信停止命令、  ４４…情報送信再開命令、  １０１，３０１…ＣＰＵ、  １０２…入力インターフェース部、  １０２Ａ…２段式押しボタンスイッチ、  １０２Ｂ…キー部、  １０３，３０２…ＲＯＭ、  １０４，３０３…ＲＡＭ、  １０５…表示部、  １０５Ａ…カーソル、  １０６，３０５…外部Ｉ／Ｆ、  １０７，３０６…ファイル管理部、  １０８，３０７…記録部、  １０９，３０４…圧縮伸張エンジン、  １１０…撮像部、  １１１…音出力部。
【図１】
2008288721.tif 000003
【図２】
2008288721.tif 000004
【図３Ａ】
2008288721.tif 000005
【図３Ｂ】
2008288721.tif 000006
【図４】
2008288721.tif 000007
【図５Ａ】
2008288721.tif 000008
【図５Ｂ】
2008288721.tif 000009
【図６Ａ】
2008288721.tif 000010
【図６Ｂ】
2008288721.tif 000011
【図７】
2008288721.tif 000012
【図８Ａ】
2008288721.tif 000013
【図８Ｂ】
2008288721.tif 000014
【図９】
2008288721.tif 000015
【図１０】
2008288721.tif 000016